(57)【要約】本発明は、変形信号を生成するのに適切なフィルタを用いてホスト信号をフィルタするフィルタ工程、及び変形信号中の補助情報を符号器にて相互相関手法を用いて符号化する符号化工程を有する、ホスト信号に補助情報を埋め込む方法及びそれに対応するシステムに関するものである。符号化処理能力を相関遅延に関して向上させるよう、本発明はホスト信号の電力スペクトルを平坦化させることによって優性音成分を除去する、及び/又は、低周波成分を除去する、のに適切なフィルタを用いる。符号化又は復号化処理前の、優性音成分の除去及び/又は低周波成分の除去は符号化/復号化処理能力を向上させる。除去された成分は、符号化信号が非符号化信号と感知できるほどに異ならないことを確実にするよう、フィルタする、及び/又は加算する、ことによって後に再導入される。【特許請求の範囲】
【請求項１】
ホスト信号に補助情報を埋め込む方法であって：
前記ホスト信号をフィルタして変形信号を生成するフィルタ工程；  及び
前記補助情報を前記変形信号中に相互相関手法を用いて符号化して符号化信号を生成する符号化工程；
を有し、
前記フィルタ工程が、前記ホスト信号中の以下の成分：
低周波成分；  及び
優性音成分；
の、少なくとも１つの振幅を低減し、
かつ、前記ホスト信号に補助情報を埋め込む方法は更に：
前記フィルタ工程によって低減された、前記符号化信号中の成分の振幅を増加させる増加工程；
を有することを特徴とする方法。
【請求項２】
請求項１記載の方法であって、前記フィルタ工程が、優性音成分を低減するフィルタ特性の利用を有し、かつ、優性音成分の振幅を増加させる増加工程が逆フィルタ特性を用いて実現されることを特徴とする方法。
【請求項３】
請求項１記載の方法であって、前記フィルタ工程が、前記ホスト信号から低周波成分を除去する、除去低周波成分の除去、及び優性音成分を低減するフィルタ特性の利用を有し、かつ、成分の振幅を増加させる増加工程が、前記除去低周波成分を前記符号化信号に加算することによって実行されることを特徴とする方法。
【請求項４】
ホスト信号をフィルタするフィルタ工程によって得られた変形信号を有する符号化信号であって、更に、相互相関手法を用いて前記変形信号中に符号化された補助情報を有し、前記フィルタ工程が、前記ホスト信号中の以下の成分：
低周波成分；  及び
優性音成分；
の、少なくとも１つの振幅を低減し、前記符号化信号中で、前記フィルタ工程によって低減された成分の振幅が増加されたことを特徴とする符号化信号。
【請求項５】
記憶媒体であって、該記憶媒体上に記憶された、請求項４記載の符号化信号を有することを特徴とする記憶媒体。
【請求項６】
補助情報をホスト信号中に埋め込む符号化システムであって：
前記ホスト信号から低減する、低減所定周波数成分を低減して、フィルタされたホスト信号を生成するフィルタ手段；  及び
前記補助情報を前記フィルタされたホスト信号中に相互相関手法を用いて符号化して符号化信号を生成する符号化手段；
を有し、
前記符号化システムは更に：
前記低減所定周波数成分を増加させる信号成分増加手段；
を有し、
かつ、前記所定周波数成分が以下の：
低周波成分；  及び
優性音成分；
の、少なくとも１つから選択されることを特徴とする符号化システム。
【請求項７】
請求項６記載の符号化システムであって、前記フィルタ手段が、前記ホスト信号から低周波成分を除去する、除去低周波成分の除去手段を有する低域通過サプレッサを有し、かつ、前記信号成分増加手段が、前記除去低周波成分を前記符号化信号に加算する加算手段を有することを特徴とする符号化システム。
【請求項８】
請求項６記載の符号化システムであって、前記フィルタ手段が、優性音成分を前記ホスト信号から実質的に除去するよう形成されたフィルタ特性を有する第１フィルタ手段を有し、かつ、前記信号成分増加手段が第２フィルタを有し、該第２フィルタは前記第１フィルタ手段の逆特性に相当するフィルタ特性を有することを特徴とする符号化システム。
【請求項９】
送信システムであって、放送用信号を受信する入力部、前記放送用信号を前記入力部から受信して補助情報とともに符号化して埋め込み信号を設ける、請求項６記載の符号部、及び前記埋め込み信号を通信チャネルによって送信するよう形成された出力部を有することを特徴とする送信システム。
【請求項１０】
補助情報を埋め込みホスト信号から復号化する方法であって：
前記埋め込みホスト信号をフィルタして変形信号を生成するフィルタ工程；  及び
前記補助情報を前記変形信号から相互相関手法を用いて復号化する復号化工程；
を有し、
前記フィルタ工程は前記ホスト信号中の以下の成分：
低周波成分；  及び
優性音成分；
のうちの少なくとも１つの振幅を低減することを特徴とする方法。
【請求項１１】
請求項１０記載の方法であって、前記フィルタ工程が前記埋め込みホスト信号中の優性音成分を低減するフィルタ特性の利用を有することを特徴とする方法。
【請求項１２】
請求項１０記載の方法であって、前記フィルタ工程が低周波成分の前記埋め込みホスト信号からの除去を有することを特徴とする方法。
【請求項１３】
補助情報が埋め込まれた埋め込みホスト信号から前記補助情報を除去する復号化システムであって：
前記埋め込みホスト信号中の所定周波数成分を低減して、フィルタされたホスト信号を生成するフィルタ手段；  及び
前記補助情報を前記フィルタされたホスト信号から相互相関手法を用いて抽出する復号化手段；
を有し、
前記所定周波数成分が、以下：
低周波成分；  及び
優性音成分；
のうちの少なくとも１つから選択されることを特徴とする復号化システム。
【請求項１４】
請求項１３記載の復号化システムであって、前記フィルタ手段が、低周波成分を前記埋め込みホスト信号から除去する低域通過サプレッサを有することを特徴とする復号化システム。
【請求項１５】
請求項１３記載の復号化システムであって、前記フィルタ手段が、優性音成分を前記埋め込みホスト信号から実質的に除去するよう形成されたフィルタ特性を有する第１フィルタ手段を有することを特徴とする復号化システム。
【請求項１６】
受信システムであって、埋め込み信号を通信チャネルから受信するよう形成された入力部、及び、該入力部に結合され、かつ、補助情報を前記埋め込み信号から抽出するよう形成されている、請求項１３記載の復号化システム、を有することを特徴とする受信システム。
【発明の詳細な説明】
【技術分野】
【０００１】
本発明は、信号に情報を埋め込む方法に関し、特にホスト信号に補助情報を埋め込む方法であって、ホスト信号をフィルタして変形信号を生成する工程及び相互相関手法を用いて変形信号中の補助情報を符号化する工程を有する方法に関するものである。本発明は更に、ホスト信号中に補助情報を埋め込む符号化システムであって、ホスト信号から所定の周波数成分を低減するフィルタ手段、及びフィルタされたホスト信号中の補助情報を、相互相関手法を用いて符号化し、符号化信号を生成する符号化手段を有するシステムに関するものである。本発明は更に、補助情報をそのような埋め込み信号から復号化するシステム及び方法に関するものである。
【背景技術】
【０００２】
従来の技術には、ホスト信号の相関関数が、補助情報の信号の値に応じて、ホストを変形する信号をホスト信号に加えることによって、変調される、相関ベースの透かし手法を用いた装置及び方法がある（例えば、特許文献１の例参照。）。補助信号は、符号化信号の自己相関関数を生成し、周知の信号抽出手法によって補助信号を抽出することによって復号化し得る。透かしを入れた信号の可聴性を向上させるのにはフィルタが用いられる。
【特許文献１】
米国特許第5940135号明細書
【発明の開示】
【発明が解決しようとする課題】
【０００３】
相互相関を用いた埋め込み手法は広い範囲の信号にうまく使用できるが、特有の音、及び/又は、強い基底成分を有する可聴信号においては満足な結果を出すことができない。特に、当該文献に記載された埋め込みアルゴリズムの成果は、とりわけ、相互相関遅延の値及び可聴信号の性質によって変わってくる。透かし手法においては、埋め込みアルゴリズムを最小の干渉にて実行することが理想的である。特定の信号に対して適切な相互相関遅延を判定する必要性から、そのような実行は現実的ではない。
【０００４】
埋め込みアルゴリズムの成果を相互相関遅延と無関係にするのに、当該文献は複数相互相関遅延を用いた手法を設けている。
【０００５】
複数遅延のアプローチは相互相関遅延の選択に関する問題を軽減する。しかしながら、複数遅延の手法は可聴題材の全ての種別について実行結果を保証するものではない。更に、複数遅延のアプローチは、有意な演算量の活用を必要とし、該演算量はさもなければ複数のペイロードを埋め込むのに活用されるかもしれないものである。
【０００６】
解決しようとする技術課題はしたがって、当該文献の複数遅延埋め込み手法に対する効果的な代替策を設けることにある。
【課題を解決するための手段】
【０００７】
本発明の目的はしたがって、広い範囲の信号にうまく使用できる、当該文献の複数遅延アプローチに対する代替の埋め込み手法を設けることにある。
【発明を実施するための最良の形態】
【０００８】
したがって、本発明の第１実施例はホスト信号に補助情報を埋め込む方法であって、変形信号を生成してホスト信号をフィルタするフィルタ工程、補助情報を変形信号中に相互相関手法を用いて符号化する符号化工程、を有し、当該フィルタ工程が、当該信号中の以下、低周波成分、及び、優性音成分、の少なくとも１つの振幅を低減し、当該方法が更に、当該フィルタ工程によって低減された符号化信号中成分の振幅を増加させる工程を有することを特徴とする方法である。
【０００９】
ホスト信号は可聴信号、画像信号及び/又はデータ信号のような(マルチ)メディア信号であってよい。
【００１０】
符号化前の信号の優性音の含有量を低減することは、埋め込み手法の実行結果を選択された相互相関遅延と実質的に無関係にし、したがって、当該文献の複数遅延方法の代替策を設けることになる。同様に、符号化前の信号の低周波数音の含有量を除去することによって、低周波成分が、透かしの検出を有意に悪化させ得る強い干渉相関雑音を生じさせ得るので、埋め込み手法の実行結果を向上させる。
【００１１】
優性音の含有量を低減する場合、優性音成分の量を低減するのに適切なフィルタを用い得る。該適切なフィルタとは逆の特性を有するフィルタを、先に低減した優性音含有量を増加させるのに用い得る。
【００１２】
優性音成分の除去によって符号化される信号の電力スペクトルを平坦化し、したがって符号化システムの遅延の不変性を向上させる。逆フィルタ処理にて優性音成分を再導入することによって符号化の効果が聴取者に感知できないことを確実にする。
【００１３】
信号の低周波数含有量を低減する場合、低周波サプレッサを、低周波成分をアナログ信号から実質的に除去するのに用い得る。除去された低周波含有量は後に符号化変形アナログ信号に加え得る。
【００１４】
低周波成分を符号化の前に除去すること、及び、当該抑圧された低周波を符号化後に加えることによって、後に再導入すること、の更なる利点は透かしを入れた可聴信号の可聴品質が向上されることにある。
【００１５】
本発明の第２実施例によれば、符号化システムは補助情報をホスト信号中に埋め込むのに設けられ、所定周波数成分をホスト信号から低減するフィルタ手段、フィルタされたホスト信号中の補助情報を、相互相関手法を用いて符号化し、符号化信号を生成する符号化手段、を有するシステムであって、当該符号化システムは更に、先に低減された所定周波数成分を増加させる信号成分増加手段を有し、かつ、当該所定周波数成分は以下、低周波成分、及び優性音成分、のうち、少なくとも１つから選択されることを特徴とするシステムである。
【００１６】
優性音成分及び/又は低周波成分をアナログ信号から、補助情報と共に符号化する前に除去することと、結果として生じる埋め込みアナログ信号が観察者にとって元のアナログ信号と同一であるように見えるよう、除去された成分を後に再導入することによって、改善された符号化方法を設けるものである。
【００１７】
本発明の第３実施例によれば、補助情報を埋め込みホスト信号から復号化する方法が設けられ、該方法は埋め込みホスト信号をフィルタして変形信号を生成するフィルタ工程、補助情報を変形信号から相互相関手法を用いて復号化する復号化工程を有する方法であって、当該フィルタ工程がホスト信号中の以下の成分、低周波成分、及び、優性音成分、の少なくとも１つの振幅を低減することを特徴とする方法である。
本実施例においては、フィルタ工程は埋め込みホスト信号中の優性音成分を低減するための、フィルタの利用を含み得る。フィルタ工程は更に、低周波成分を埋め込みホスト信号から除去することを含み得る。
【００１８】
本発明の第４実施例によれば、復号化システムは、補助情報を埋め込みホスト信号から抽出するのに設けられ、該システムは所定周波数成分をホスト信号から低減するフィルタ手段、補助情報をフィルタされたホスト信号から相互相関手法を用いて抽出する復号化手段を有するシステムであって、所定周波数成分が以下、低周波成分、及び優性音成分、のうちの少なくとも１つから選択されることを特徴とするシステムである。
【００１９】
フィルタ手段は低周波成分をホスト信号から除去する低域通過サプレッサを有し得る。フィルタ手段は更に、優性音成分をホスト信号から実質的に除去するよう形成されたフィルタ特性を有する第１フィルタ手段を有し得る。
【００２０】
本発明の他の実施例は送信システムに向けられたものであって、該送信システムは、伝送用ホスト信号を受信するよう形成された入力モジュール、ホスト信号を補助情報とともに本発明の前述の符号化方法の１つを用いて符号化するよう形成された符号化システムを組み入れた符号化モジュール、及び符号化ホスト信号を送信するよう形成された出力手段を有することを特徴とするシステムである。
【００２１】
本発明は更に、そのような送信システムとともに用いられる受信システムに及び、該受信システムは補助情報とともに符号化されたホスト信号を受信するよう形成された入力部、及び、符号化ホスト信号を、前述の方法の１つを用いて復号化し、ホスト信号から補助情報を抽出する復合器を有することを特徴とするシステムである。
【００２２】
アルゴリズムを可聴信号に組み込む結果が成功裏に収まる有意な理由はホスト信号中の優位音成分の存在における相関遅延の選択にある。本発明はフィルタを用いて、ホスト信号の電力スペクトルを平坦化し、したがって優性音成分を符号化又は復号化処理の前に除去し、その結果、遅延選択に関係する課題を軽減する。除去された成分は後に再導入され、符号化信号が非符号化信号に対して感知できるほどに異なるものではないことを確実にする。
【００２３】
アルゴリズムを可聴信号に組み込む結果が成功裏に収まることに関係する、更に有意な要因には、低周波成分の存在があり、該低周波成分は透かしの検出を有意に低下させ得る強い干渉相関雑音を発生させ得る。本発明はこれらの低周波成分を符号化及び復号化の前に除去するようフィルタ処理を用いる。符号化処理では、除去された低周波成分は後に再導入され、可聴品質において聴取者にとって感知できる違いがないことを確実にする。
【実施例】
【００２４】
図１に簡易形式にて図示した、本発明の第1の特徴は、補助情報信号6をホスト信号１中に埋め込む符号化システムを設けるものであり、低域通過サプレッサ(LFS)2の形態のフィルタ手段、符号器(E)5、及び加算手段8の形態の信号成分増加手段を有する。補助情報信号6とともに埋め込まれる入力ホスト信号1は、低周波サプレッサ2によって処理され、該低周波サプレッサ2はフィルタ処理を用いて入力ホスト信号を第１信号４及び第2信号3に分割する。第１信号４は実質的には低周波が抑圧されたホスト信号であり、第2信号3は抑圧された、ホスト信号１の低周波成分である。第１信号4は符号器5によって補助情報信号６とともに適切な相互相関手法を用いて符号化される。そのような相互相関符号化手法を実行する方法、回路、システム、及びアルゴリズムは周知のものである。低周波成分が第１信号４から除去されるため、低周波成分から発生する強い干渉相関雑音の影響は軽減され、ホスト信号１中の符号化処理の成功率は向上される。
【００２５】
前述のように、透かしの重要な特徴の一つに透かしが視聴者には感知できないことがある。もう一つの重要な特徴は聴取者が、透かしを入れたホスト信号と非符号化ホスト信号とを見分けられないことにある。この場合には、当該特徴は、前に抑圧された低周波をホスト信号に、ホスト信号が透かしとともに符号化された後に、加算することによって用意される。これは図示された加算手段8によって実現される。先行して除去された低周波数成分と符号化ホスト信号とをうまく再結合させることによって、符号器から結果として出力される信号と元のホスト信号との違いは聴取者に感知できないはずである。可聴信号の場合、低周波サプレッサのカットオフ周波数は100Hzから5000Hzの範囲内で、適用業務によって変わってくるが、一般には100Hzから1000Hzの範囲内に収まる。低周波の除去の更なる利点は透かしを入れた可聴信号の可聴品質が向上されることにある。実験結果は高周波を利用することによって可聴性を実質的に向上させることを示している。
【００２６】
図示の簡便化を図るべく表された実施例は遅延素子、アナログ・デジタル変換器(ADC)、及びデジタル・アナログ変換器(DAC)のような部品を割愛している。当業者はこれらの部品及びその組み合わせを通常の設計にて有し得ることを了解するものである。
【００２７】
本発明は更に、図２に示すように、補助情報を図１の符号化システムを用いて符号化されたホスト信号から復号化する復号化システムを設けるものである。該システムは低周波サプレッサ10と復号器(D)12とを有する。低周波サプレッサ12は、例えば、簡単な高域通過フィルタであり得、低周波成分を埋め込み信号９から符号器12に先行して除去する。
【００２８】
結果として生じる、低周波が抑圧された符号化ホスト信号11は次に符号器12によって復号化され、ホスト信号９中に埋め込まれた補助情報13の信号表現を抽出する。検出器に用いられる低周波サプレッサ10は埋め込みシステムに用いられる低周波サプレッサ2と同じであり得る。しかしながら、復号化システムの場合、低周波成分を有する第2信号3を設けることは不要である。
【００２９】
図１の低周波サプレッサ２の特定の実施形態が図３に示され、該実現形態は２つのフィルタH(30)及びG(31)を有する。第１のフィルタHは高域通過フィルタで低周波サプレッサ２のカットオフ周波数に等しいカットオフ周波数を有する。第１フィルタHから結果として生じる出力４は低周波成分が低減されたホスト信号である。第２フィルタGは第１フィルタHと同じカットオフ周波数を有する低域通過フィルタである。第２フィルタGから結果として生じる出力はホスト信号の低周波成分３である。抑圧された低周波成分信号３は復号化システムにおいては必要でないため、図２の実施例に示された低周波サプレッサ10は第１フィルタHのみを用いて実現し得る。
【００３０】
低周波サプレッサの第１及び第２フィルタG及びHの周波数特性例を図４に示す。特に、第２フィルタGは低域通過周波数特性を有するものとして示され、第１フィルタHは高域周波数特性を有するものとして示され、各フィルタのカットオフ周波数（fc）は実質的に等しい。前述のように、適切なカットオフ周波数は100Hzから1000Hzの範囲に収まるはずである。
【００３１】
本発明の別の実施例は、図５に図示するように、第１（符号化前）フィルタ(PF)20の形態のフィルタ手段、符号器５、及び第２（符号化後）（POF）フィルタ21の形態の信号成分増加手段を有する。入力ホスト信号１は第１フィルタ20によってフィルタされ、該第１フィルタはホスト信号の電力スペクトルを平坦化し、そうして優性音成分をホスト信号から実質的に除去する。
【００３２】
第１フィルタ20を設計又は実現するのに多くの手法を用い得る。これらの手法は主としてアナログ信号の電力スペクトル又はその予測に基づくものである。例えば、フィルタはホスト信号の電力スペクトルの測定結果から導き得る。これは最適な結果を達成するものである一方、有意な演算量を必要とする。フィルタを設計する代替方法として多くのアナログ信号を統計的に分析した後、汎用固定フィルタを導き出すものである。第３の選択肢は最初の２つの選択肢間の折衷案であって、フィルタが、アナログの題材の特定部分の初めから終わりまで不変のままで当該部分が変わる時のみ変わる、区分的定常シェーピング・フィルタを用いるものである。フィルタは時間又は周波数領域の何れかにおいて実現し得るものであることを特筆する。優性音成分は符号化用のホスト信号からは実質的に除去されているので、符号化処理結果における一要素としての相関遅延の選択がホスト信号に与える影響は低減される。
【００３３】
フィルタされたホスト信号22は次に、補助情報とともに、符号器5によって第１実施例に関して上述したように符号化される。符号化信号は次に第２フィルタ21によってフィルタされる。第２フィルタ21は第１フィルタとは逆のフィルタ特性を有する。その結果、第２フィルタ21は符号化変形出力信号中で先に低減された優性音含有量を元の量に戻す。したがって、第２フィルタ21からの埋め込み出力信号９と元のホスト信号１との差異は聴取者には感知できないはずである。
【００３４】
補助情報を、図５の実施例を用いて符号化したホスト信号から抽出する検出又は復号化システムは、図６で示されるように、第１フィルタ200及び復号器12によって構成されるフィルタ手段を有する。第１（復号化前）フィルタ200は符号化システムにおける第１フィルタ20のフィルタ特性に実質的に整合するフィルタ特性を有することが望ましい。しかしながら、符号化システムと検出システムとの間に代替のフィルタを用い得る。例えば、符号化システムの場合、第１フィルタはホスト信号の電力スペクトルの測定結果から導き出し得るもの(複雑なフィルタ)である一方、同等の検出器中のフィルタは多くのアナログ信号の統計分析から得られた汎用固定フィルタ（単純なフィルタ）を用いて実現し得る。異なったフィルタを用いた結果は、実質的に同一のフィルタ特性を用いて得られた結果ほどは信頼性が高くないかもしれない。
【００３５】
フィルタされた信号25は次に復号システムの復号器12に伝達され、補助情報13が抽出される。
【００３６】
符号器及び復号器の処理能力は例えば図１において実現されるような低周波抑圧方法、若しくは、図５において実現されるような優位音の除去を用いたスペクトル平坦化手法によって向上されるであろうが、処理能力向上は当該２つの手法を組み合わせることによって達成し得る。
【００３７】
低周波サプレッサ10、第１フィルタ200、符号器、第２フィルタ及び加算手段8を有し、アナログのホスト信号1を補助情報6とともに埋め込んで符号化ホスト信号9を生成するのに用い得る、そのような改善された符号化システムの例は図7に示される。
【００３８】
動作時には、ホスト信号1は、低周波成分をホスト信号から実質的に除去する低周波サプレッサ10によって処理される。結果として生じる変形信号は次に更に第１フィルタ200によって優性複合音を除去するよう変形される。結果として生ずる変形信号は次に補助情報6とともに符号器5によって符号化される。符号化された変形ホスト信号は後に第２フィルタ2１によって処理される。第２フィルタは、第１フィルタと実質的に逆の特性を有し、先に低減された優位音含有量を符号化信号に戻す。最後に、前に抑圧された低周波成分は加算手段8によって符号化信号に再挿入される。
【００３９】
図7のシステムによってホスト信号に埋め込まれる補助情報信号を検出する検出器は図8に示され、低周波サプレッサ、フィルタ、及び復号器を有する。動作時には、符号化ホスト信号は低周波成分を除去する低周波サプレッサによって処理され、結果として生じる低周波が抑圧された符合器のホスト信号は次に、信号のスペクトルを、優性複合音を結果として生じる信号から低減することによって平坦化するプリフィルタによってフィルタされる。
【００４０】
図7の実施例における、低周波数サプレッサ10と、第１（符号化前）フィルタ20、すなわちスペクトル平坦化フィルタ、との順序はフィルタ処理の実行方法に応じて、影響なく変更することが可能であることを特筆する。
【００４１】
しかしながら、低周波抑圧フィルタと第１フィルタとの順序を入れ替えた場合、低周波成分を再び入れる時点はそれに応じて調整すべきである。したがって、第１フィルタと低周波サプレッサとの順序を取り替える場合、加算手段と第２フィルタとの順序も又、取り替えるべきである。
【００４２】
更に、ここに説明した実施例を実現するのに多くの手法を用い得、多くの変形例が考えられることが当業者には認識されることを特筆する。例えば、低周波成分と第１フィルタとを組み合わせ得る。この組み合わせは検出器においては簡単であるが、符号器においては、フィルタのスペクトルの低周波部分が厳しい可聴性の問題を可聴信号中にもたらし得るので、組み合わせフィルタの位相の作用を検討するには注意が必要になる。
【００４３】
本発明の他の特徴は、図９に示すように、放送チャネル、例えば、ラジオ、ケーブル、又はコンピュータ・ネットワークによって可聴信号を1つ以上の受信手段に送信するのに用いる放送システム89に向けられたものである。放送システムは可聴信号を1つ以上のソースから受信するよう形成された入力部80を有する。入力部は例えば2つ以上の利用可能な入力信号間を選択的に切り替える多重変換装置を有し得る。
【００４４】
可聴信号は次に入力部によって符号化モジュール81に設けられる。符号化モジュールは可聴信号を補助情報とともに前述の符号化手法の1つを用いて符号化する。補助情報信号は、放送システムによって生成され得る、若しくは、外部ソースによって設けられ得る。結果として生じる符号化信号は次に埋め込み可聴信号を通信チャネルによって送信する出力部に伝達される。
【００４５】
放送システムがラジオ放送システムの場合、出力モジュール83は、適切なアンテナ84に結合され、符号化信号を変調して送信する無線周波数（ＲＦ）部を有するものである。ＲＦ部は無線周波数フィルタ手段、固定周波数発振器、変調回路及び無線周波数の送信器が通常有するほかの部品を有し得る。
【００４６】
送信された符号化可聴信号は次に、通信チャネルに適切に接続されたいかなる受信器によっても受信可能になる。適切な受信器99は図10に示され、入力部と復号器を有する。入力部91は通信チャネルに結合され、当該チャネルより信号を受信し、復調するよう形成される。ＲＦ受信器の場合、入力部は、ＲＦフィルタ、固定周波数発振器、ダウン・コンバータ回路及びラジオ受信器のＲＦ部が通常有する他の部品を有する、無線周波数部に結合されたアンテナ90を有し得る。入力部は復調符号化信号を復号器92に設け、該復号器92は補助情報を符号化信号から抽出する。この補助情報94は次に、例えば、表示手段によって利用者に設け得る。入力部91は、例えば、受信した可聴の題材をスピーカから流すことを可能にするよう、別個に出力95を他の回路に供給し得る。
【００４７】
明瞭性の観点から別個の実施例にて説明している、本発明の特定の特徴は更に、組み合わせにて単一の実施例にて設け得ることも更に認識されるものである。逆に、簡便性の観点から、単一の実施例にて説明する本発明のさまざまな特徴は更に、別個に、若しくは部分的な組み合わせを適切に行うことによって、設け得る。
【００４８】
本発明の原文において用いられる「comprises/comprising」の語及び「having/including」の語は記載された特徴、整数、工程又は成分の存在を規定するのに用いられるが、1つ以上の他の特徴、整数、工程、成分又はその群の存在又は追加を妨げるものではない。
【００４９】
上述の実施例は本発明を限定するよりはむしろ説明するものであって、当業者は本発明の特許請求の範囲から逸脱することなく多くの代替の実施例を企図することが可能になるであろうことを特筆する。当該原文における「comprising」の語は本発明の特許請求の範囲に記載された要素又は工程以外のものの存在を排除するものではない。本発明はいくつかの個別の要素を有するハードウェアによって、及び適切にプログラム化されたコンピュータによって実現し得る。いくつかの手段を列挙した装置クレームにおいては、これらの手段のいくつかはまったく同一のハードウェア品目によって実施し得る。単に、特定の手段がお互いに異なった従属クレームに詳細に説明されていることは、これらの手段の組み合わせを活かし得ないことを指し示すものではない。
【図面の簡単な説明】
【００５０】
【図１】本発明の第１の特徴による符号化システムの構成図である。
【図２】図１のシステムを用いて符号化された信号とともに用いられる復号化システムの構成図である。
【図３】図１の低周波サプレッサを実現する一案の構成図である。
【図４】図３の個別のフィルタのフィルタ特性の周波数特性図である。
【図５】本発明の第２の特徴による符号化システムの構成図である。
【図６】図５のシステムを用いて符号化された信号とともに用いられる復号化システムの構成図である。
【図７】本発明の第３の特徴による符号化システムの構成図である。
【図８】図７のシステムを用いて符号化された信号とともに用いられる復号化システムの構成図である。
【図９】本発明の第４の特徴による送信システムの構成図である。
【図１０】図９のシステムによって送信された信号とともに用いられる受信システムの構成図である。
【国際公開パンフレット】
2005506570.tif 000002
2005506570.tif 000003
2005506570.tif 000004
2005506570.tif 000005
2005506570.tif 000006
2005506570.tif 000007
2005506570.tif 000008
2005506570.tif 000009
2005506570.tif 000010
2005506570.tif 000011
2005506570.tif 000012
2005506570.tif 000013
2005506570.tif 000014
2005506570.tif 000015
2005506570.tif 000016
2005506570.tif 000017
2005506570.tif 000018
2005506570.tif 000019
2005506570.tif 000020
【国際調査報告】
2005506570.tif 000021
2005506570.tif 000022
2005506570.tif 000023